(57)【特許請求の範囲】
【請求項１】
多数の収納凹部２を所定ピッチＰで列設したテープ状の電子部品収納ケースに於いて、ロール状に巻いて相互に重ねた状態での嵌まり込み防止用のストレート部３が、全ての上記凹部２において、該凹部２の対面する両側面11，11にしかも相互が向かい合うよう夫々形成され、該ストレート部３は、上記凹部２の開口部５に対して直角の側壁15にて形成され、向かい合う該側壁15，15間の、該凹部２の底面13における外法寸法Ｌが該凹部２の該開口部５の開口寸法Ｎより大きくされたことを特徴とするテープ状の電子部品収納ケース。
【請求項２】
多数の収納凹部２を所定ピッチＰで列設したテープ状の電子部品収納ケースに於いて、ロール状に巻いて相互に重ねた状態での嵌まり込み防止用のストレート部３が、全ての上記凹部２において、該凹部２のテープ列設方向Ｘに対面する両側面11，11にしかも相互が向かい合うよう夫々形成され、該ストレート部３は、上記凹部２の開口部５に対して直角の側壁15にて形成され、向かい合う該側壁15，15間の、該凹部２の底面13における外法寸法Ｌが該凹部２の該開口部５の開口寸法Ｎより大きくされたことを特徴とするテープ状の電子部品収納ケース。
【請求項３】
多数の収納凹部２を所定ピッチＰで列設したテープ状の電子部品収納ケースに於いて、ロール状に巻いて相互に重ねた状態での嵌まり込み防止用のストレート部３が、全ての上記凹部２において、該凹部２のテープ幅方向Ｙに対面する両側面11，11にしかも相互が向かい合うよう夫々形成され、該ストレート部３は、上記凹部２の開口部５に対して直角の側壁15にて形成され、向かい合う該側壁15，15間の、該凹部２の底面13における外法寸法Ｌが該凹部２の該開口部５の開口寸法Ｎより大きくされたことを特徴とするテープ状の電子部品収納ケース。
【請求項４】
多数の収納凹部２を所定ピッチＰで列設したテープ状の電子部品収納ケースに於いて、ロール状に巻いて相互に重ねた状態での嵌まり込み防止用のストレート部３が、全ての上記凹部２において、該凹部２のテープ列設方向Ｘに対面する両側面11，11及びテープ幅方向Ｙに対面する両側面11，11に、しかも各々の両側面11，11において相互が向かい合うよう形成され、該ストレート部３は、上記凹部２の開口部５に対して直角の側壁15にて形成され、向かい合う該側壁15，15間の、該凹部２の底面13における外法寸法Ｌが該凹部２の該開口部５の開口寸法Ｎより大きくされたことを特徴とするテープ状の電子部品収納ケース。
【請求項５】
多数の収納凹部２を所定ピッチＰで列設したテープ状の電子部品収納ケースに於いて、ロール状に巻いて相互に重ねた状態での嵌まり込み防止用のストレート部３を平面視矩形の上記凹部２の隅部12に４個形成し、該ストレート部３は、上記凹部２の開口部５に対して直角の側壁15にて形成され、向かい合う該側壁15，15間の、該凹部２の底面13における外法寸法Ｌが該凹部２の該開口部５の開口寸法Ｎより大きくされたことを特徴とするテープ状の電子部品収納ケース。
【発明の詳細な説明】
【０００１】
【発明の属する技術分野】
本発明はテープ状の電子部品収納ケースに関する。
【０００２】
【従来の技術】
従来、テープ状の電子部品収納ケースに於いて、図１２に示すように、矩形の開口部３３を有し、収納凹部３２の対面する側面３４，３４が、開口部３３に向かって拡がる方向に（底面３５に向かって狭くなる方向に）、傾斜したテーパ面３６を有する収納ケース３１が広く用いられている。
【０００３】
【発明が解決しようとする課題】
テープ状の電子部品収納ケースは、凹部３２に部品を収納した状態以外の工程（収納ケース３１自体の輸送・保管）に於いて、凹部３２は空の状態で、その凹部３２が重なる方向に、ロール状に巻かれている。
【０００４】
この時、図１３に示すように、従来のテーパ面３６を有する凹部３２を列設したテープ状の収納ケース３１は、ロール状に巻いて相互に重ねた状態で、内層３７の凹部３２と外層３８の凹部３２′が固く嵌まり込むおそれがある。これら凹部３２，３２′が固く嵌まり込んだ場合、この嵌合を解かないと、このテープ状の収納ケース３１の凹部３２に電子部品を連続して収納することができない。また、この嵌合を解く作業は非常に手間で無駄なものであるという問題点がある。また、この嵌まり込みを防ぐために、図１４に示すように、テープ状の収納ケース３１の内層３７と外層３８の間に別部品の紙テープ３９を挟み込み、収納ケース３１を使用するとき、この紙テープ３９を取り除く作業が必要であり面倒であった。
【０００５】
そこで本発明は、多数の収納凹部２を所定ピッチＰで列設したテープ状の電子部品収納ケースに於いて、ロール状に巻いて相互に重ねた状態で、嵌まり込みを防止する収納ケースを提供することを目的とする。
【０００６】
【課題を解決するための手段】
上述の目的を達成するために、本発明に係る電子部品収納ケースは、多数の収納凹部を所定ピッチで列設したテープ状の電子部品収納ケースに於いて、ロール状に巻いて相互に重ねた状態での嵌まり込み防止用のストレート部が、全ての上記凹部において、該凹部の対面する両側面にしかも相互が向かい合うよう夫々形成され、該ストレート部は、上記凹部の開口部に対して直角の側壁にて形成され、向かい合う該側壁間の、該凹部の底面における外法寸法が該凹部の該開口部の開口寸法より大きくされたものである。
【０００７】
また、多数の収納凹部を所定ピッチで列設したテープ状の電子部品収納ケースに於いて、ロール状に巻いて相互に重ねた状態での嵌まり込み防止用のストレート部が、全ての上記凹部において、該凹部のテープ列設方向に対面する両側面にしかも相互が向かい合うよう夫々形成され、該ストレート部は、上記凹部の開口部に対して直角の側壁にて形成され、向かい合う該側壁間の、該凹部の底面における外法寸法が該凹部の該開口部の開口寸法より大きくされたものである。
【０００８】
また、多数の収納凹部を所定ピッチで列設したテープ状の電子部品収納ケースに於いて、ロール状に巻いて相互に重ねた状態での嵌まり込み防止用のストレート部が、全ての上記凹部において、該凹部のテープ幅方向に対面する両側面にしかも相互が向かい合うよう夫々形成され、該ストレート部は、上記凹部の開口部に対して直角の側壁にて形成され、向かい合う該側壁間の、該凹部の底面における外法寸法が該凹部の該開口部の開口寸法より大きくされたものである。
【０００９】
また、多数の収納凹部を所定ピッチで列設したテープ状の電子部品収納ケースに於いて、ロール状に巻いて相互に重ねた状態での嵌まり込み防止用のストレート部が、全ての上記凹部において、該凹部のテープ列設方向に対面する両側面及びテープ幅方向に対面する両側面に、しかも各々の両側面において相互が向かい合うよう形成され、該ストレート部は、上記凹部の開口部に対して直角の側壁にて形成され、向かい合う該側壁間の、該凹部の底面における外法寸法が該凹部の該開口部の開口寸法より大きくされたものである。
【００１０】
また、多数の収納凹部を所定ピッチで列設したテープ状の電子部品収納ケースに於いて、ロール状に巻いて相互に重ねた状態での嵌まり込み防止用のストレート部を平面視矩形の上記凹部の隅部に４個形成し、該ストレート部は、上記凹部の開口部に対して直角の側壁にて形成され、向かい合う該側壁間の、該凹部の底面における外法寸法が該凹部の該開口部の開口寸法より大きくされたものである。
【００１１】
【発明の実施の形態】
以下、図示の実施の形態に基づき、本発明を詳説する。
【００１２】
本テープ状の電子部品収納ケースは、ＩＣやコネクタ、マイクロスイッチ、リレー等の電子部品を収納するためのものであり、図１に本発明の実施の一形態を示す。図１に於いて、多数の収納凹部２を所定ピッチＰで列設したテープ状の収納ケース１は、その凹部２の形状が、矩形の開口部５を有し、図２（ａ）（ｂ）の断面図に示すように、収納凹部２の対面する側面１１，１１が開口部５に向かって広がる方向（底面１３に向かって狭くなる方向）に、傾斜したテーパ面４を有するものを備えている。
【００１３】
本収納ケース１はプラスチック製であり、この収納ケース１の製作は、図示省略するが、雄金型と雌金型により、真空成型、圧空成型、又は、プレス成型にて行い、成型完了後、この収納ケース１を金型から離脱する際、その離脱を容易にするため、成型品（収納ケース１）の凹部２の側面１１…は開口部５に向かって広がる方向に（底面１３に向かって狭くなる方向に）、傾斜したテーパ面４を有している。
【００１４】
そして、本発明は、多数の収納凹部２を所定ピッチＰで列設したテープ状の電子部品収納ケースに於いて、図２（ａ）に示す、ストレート部３を上記凹部２の側面１１，１１に２個形成したものである。即ち、向かい合う側面１１，１１に１対のストレート部３を設けたものである。
【００１５】
具体的に説明すると、図１と図２（ａ）（ｂ）に示すように、嵌まり込み防止用のストレート部３をテープ列設方向Ｘに対面する両側面１１，１１に２個形成したものである。つまり、このストレート部３とは、凹部２のテープ列設方向Ｘに対面する両側面１１，１１のテーパ面４，４の一部に、開口部５から底面１３に渡り、開口部５に対して略９０°の側壁１５を有する部分壁のことである。即ち、図１と図２（ａ）（ｂ）に示すように、凹部２のテープ列設方向Ｘに対面する側面１１は、テーパ面４，４の間にストレート部３の溝型を有する段違い面を形成するものである。従って、この凹部２の平面視（平面からの断面）は、図１に示すように、ストレート部３が突出した凸型の形状を有する。
【００１６】
次に、図３に示すように、このテープ状の収納ケース１は、凹部２に部品を収納した状態以外の工程（収納ケース１自体の輸送・保管）に於いて、凹部２は空の状態で、その凹部２が重なる方向に、ロール状に巻かれたものである。
【００１７】
この時、凹部２を列設したテープ状の収納ケース１は、ロール状に巻いて相互に重ねた状態で、内層７の凹部２と外層８の凹部２が、図３に示すように、嵌まり込むことがない。つまり、図２（ａ）に示すように、上記ストレート部３は、凹部２の側面１１に、開口部５から底面１３に渡り、開口部５に対して略９０°の側壁１５を有する部分壁であるため、その側壁１５，１５間の外法寸法Ｌは、開口部５の開口寸法Ｎより大きいため（Ｌ＞Ｎ）、図３に示すように、外層８の側壁１５が内層７の開口部５へ、嵌まり込むことがない。
【００１８】
従って、収納ケース１の内層７と外層８が嵌まり込まず、内層７の開口部５に外層８の底面１３が載るように重なった状態で、ロール状に巻かれている。そして、このテープ状の収納ケース１の凹部２に電子部品を連続して収納する作業を行う際、従来のような嵌まり込みを解く作業は不要であり、収納ケース１をロール状に巻いて相互に重ねた状態から、容易にこの収納ケース１を連続してロールより送りだすことができる。
【００１９】
次に、図４は、凹部２の要部拡大断面図を示す。収納ケース１の凹部２の側面１１に設けるストレート部３とは、開口部５に対して略９０°の角度であるが、その角度θには制限がある。この角度θについて説明すると、図４の上半分に示す、ロール状に巻かれた収納ケース１の内層７及び外層８に於いて、側面１１に有するストレート部３は開口部５に対してθ＝９０°（直角）である。この場合、外層８の収納ケース１の側壁１５，１５間の外法寸法Ｌは、内層７の収納ケース１の開口部５の開口寸法Ｎより大きいため（Ｌ＞Ｎ）、図３に示すように、外層８の側壁１５が内層７の開口部５へ、嵌まり込むことがない。また、角度θ＞９０°の場合は、この収納ケース１の製作時、金型から離脱できないため、不適当である。
【００２０】
また、図４の下半分は、図４の上半分とは異なる形態を示す収納ケース１（内層７′及び外層８′）であり、側面１１に有するストレート部３は開口部５に対してθ＜９０°（鋭角側）である。つまり、このストレート部３はわずかなテーパ形状を有してもよい。詳しく説明すると、外層８′収納ケース１のストレート部３底面１３寄りの外法寸法Ｌ′が、内層７′収納ケース１の開口部５の開口寸法Ｎより大きければよい。即ち、この向かい合う側面１１，１１のストレート部３，３は、この側面１１の板厚ｔの寸法だけ、双方内側へ傾斜させたものとしてもよい。即ち、このストレート部３は、図４の下半分に示す角度αだけ傾斜させてもよい。この場合、外層８′の凹部２の側壁１５，１５下端間の外法寸法Ｌ′は、内層７′の開口部５の開口寸法Ｎより大きいため（Ｌ′＞Ｎ）、図３に示すように、外層８′の側壁１５が内層７′の開口部５へ、嵌まり込むことがない。
【００２１】
このように、側面１１のストレート部３に於いても、開口部５に向かって広がる方向に、微小傾斜したテーパ形状を有しているのは、この収納ケース１を作製する際の金型からの離脱をさらに容易にするために、設定されるものである。
【００２２】
次に、図５に本発明の別の実施の形態を示す。これは、多数の収納凹部２を所定ピッチＰで列設したテープ状の電子部品収納ケースに於いて、２個のストレート部３を凹部２のテープ幅方向Ｙに対面する側面１１，１１に形成したものである。即ち、向かい合う側面１１，１１に１対のストレート部３を設けたものである。
【００２３】
具体的に説明すると、図５と図６（ａ）（ｂ）に示すように、嵌まり込み防止用のストレート部３をテープ幅方向Ｙに対面する両側面１１，１１に２個、形成したものである。つまり、このストレート部３とは、凹部２のテープ幅方向Ｙに対面する両側面１１，１１のテーパ面４，４の一部に、開口部５から底面１３に渡り、開口部５に対して略９０°の壁を有する部分壁のことである。即ち、図５と図６（ａ）（ｂ）に示すように、凹部２のテープ幅方向Ｙに対面する側面１１は、テーパ面４，４の間にストレート部３の溝型を有する段違い面を形成するものである。従って、この凹部２の平面視（平面からの断面）は、図５に示すように、ストレート部３が突出した凸型の形状を有する。また、上記の略９０°の部分壁の角度は、図４に於いて説明したものと同様の範囲で設定されるものである。
【００２４】
次に、このテープ状の収納ケース１が、凹部２が空の状態で、その凹部２が重なる方向に、ロール状に巻かれている時、収納ケース１は、内層７の凹部２と外層８の凹部２が、図７に示すように、嵌まり込むことがない。つまり、図６の（ａ）に示すように、上記ストレート部３は、凹部２の側面１１に、開口部５から底面１３に渡り、開口部５に対して略９０°の側壁１５を有する部分壁であるため、その側壁１５，１５間の外法寸法Ｌは、開口部５の開口寸法Ｎより大きいため（Ｌ＞Ｎ）、図７に示すように、外層８の側壁１５が内層７の開口部５へ、嵌まり込むことがない。
【００２５】
次に、図８に本発明の他の実施の形態を示す。これは、多数の収納凹部２を所定ピッチＰで列設したテープ状の電子部品収納ケースに於いて、ストレート部３を上記凹部２のテープ列設方向Ｘ及びテープ幅方向Ｙに対面する側面１１…に２個ずつ、合計４個形成したものである。即ち、向かい合う側面１１，１１と他の向かい合う側面１１，  １１に夫々２対のストレート部３を設けたものである。
【００２６】
具体的に説明すると、図８と図９に示すように、凹部２の４方側面１１…に、嵌まり込み防止用のストレート部３を４個、テープ列設方向Ｘ及びテープ幅方向Ｙに対面する夫々の両側面１１，１１に形成したものである。つまり、このストレート部３とは、凹部２のテープ列設方向Ｘ及びテープ幅方向Ｙに対面する両側面１１，１１のテーパ面４，４の一部に、開口部５から底面１３に渡り、開口部５に対して略９０°の壁を有する部分壁のことである。即ち、図９に示すように、凹部２のテープ列設方向Ｘ及びテープ幅方向Ｙに対面する側面１１は、テーパ面４，４の間にストレート部３の溝型を有する段違い面を形成するものである。従って、この凹部２の平面視（平面からの断面）は、図８に示すように、ストレート部３が突出した凸型の形状を有する。また、上記の略９０°の部分壁の角度は、図４に於いて説明した範囲で設定されるものである。
【００２７】
また、このテープ状の収納ケース１が、凹部２が空の状態で、その凹部２が重なる方向に、ロール状に巻かれている時、収納ケース１は、図３及び図７と同様に、内層の凹部２と外層の凹部２が、嵌まり込むことがない。つまり、図９に示すように、上記ストレート部３は、凹部２の側面１１に、開口部５から底面１３に渡り、開口部５に対して略９０°の側壁１５を有する部分壁であるため、その側壁１５，１５間の外法寸法Ｌは、開口部５の開口寸法Ｎより大きいため（Ｌ＞Ｎ）、外層の側壁１５が内層の開口部５へ、嵌まり込むことがない。
【００２８】
次に、図１０に本発明のさらに他の実施の形態を示す。これは、多数の収納凹部２を所定ピッチＰで列設したテープ状の電子部品収納ケースに於いて、ストレート部３を上記凹部２の隅部１２に４個形成したものである。
【００２９】
具体的に説明すると、図１０と図１１（ａ）（ｂ）に示すように、凹部２の４方側面１１の隅部１２に、嵌まり込み防止用のストレート部３を４個、Ｌ字型に形成したものである。つまり、このストレート部３とは、凹部２の側面１１の角に、開口部５から底面１３に渡り、開口部５に対して略９０°の壁を有する部分壁のことである。即ち、図１１（ａ）に示すように、凹部２の２方向夫々に対面する側面１１…は、テーパ面４の両側にストレート部３，３の壁を有する段違い面を形成するものである。従って、この凹部２の平面視（平面からの断面）は、図１０に示すように、テーパ面４が凹んだ凹型の形状を有する。また、上記の略９０°の部分壁の角度は、図４に於いて説明した範囲で設定されるものである。
【００３０】
次に、このテープ状の収納ケース１が、凹部２が空の状態で、その凹部２が重なる方向に、ロール状に巻かれている時、収納ケース１は、図示省略するがロール状の内層の凹部２と外層の凹部２が、嵌まり込むことがない。つまり、図１１の（ａ）に示すように、上記ストレート部３は、凹部２の側面１１に、開口部５から底面１３に渡り、開口部５に対して略９０°の側壁１５を有する部分壁であるため、その側壁１５，１５間の外法寸法Ｌは、開口部５の開口寸法Ｎより大きいため（Ｌ＞Ｎ）、図３及び図７と同様に、外層の側壁１５が内層の開口部５へ、嵌まり込むことがない。
【００３１】
次に、図５と図８と図１０の場合に於ける本発明では、ロール状に巻かれた収納ケース１の内層と外層が嵌まり込まず、内層の開口部５に外層の底面１３が載るように重なった状態で、巻かれているため、このテープ状の収納ケース１の凹部２に電子部品を連続して収納する作業をする際、この嵌まり込みを解く作業は不要であり、収納ケース１をロール状に巻いて相互に重ねた状態から、容易にこの収納ケース１を連続して送りだすことができる。
【００３２】
また、図１と図５と図８と図１０に示すこのストレート部３の両脇面１４は、図２（ｂ）と図６（ｂ）に示すように（図８及び図１０の場合も同様となる）、開口部５に向かって広がる方向に（底面１３に向かって狭くなる方向に）、傾斜したテーパ形状を有している。これは、上記説明したとおり、この収納ケース１を製作する際の、金型からの離脱が容易となるよう形成されたものである。
【００３３】
【発明の効果】
本発明は上述の構成により次のような効果を奏する。
【００３４】
（請求項１，２，３，４及び５によれば）凹部２のストレート部３に於いて、側壁１５，１５間の外法寸法が、開口部５の開口寸法より大きいため、収納ケース１が空の状態でロール状に巻かれている時、ロール状の内層の凹部２と外層の凹部２が、嵌まり込まないようにすることが可能である。また、ロール状に巻かれた収納ケース１の内層と外層の間に、別部品を設けずに、ロール状の内層の凹部２と外層の凹部２が、嵌まり込まないようにすることが可能である。
【図面の簡単な説明】
【図１】本発明のテープ状の電子部品収納ケースの実施の一形態を示す説明図である。
【図２】図１の断面図である。
【図３】使用例を示す側面図である。
【図４】本発明の要部構成を示す拡大断面図である。
【図５】本発明の他の実施の形態を示す説明図である。
【図６】図５の断面図である。
【図７】使用例を示す側面図である。
【図８】本発明の別の実施の形態を示す説明図である。
【図９】図８の断面図である。
【図１０】本発明のさらに別の実施の形態を示す説明図である。
【図１１】図１０の断面図である。
【図１２】従来例におけるテープ状の電子部品収納ケースの斜視図である。
【図１３】従来の使用例を示す断面図である。
【図１４】従来の他の使用例を示す側面図である。
【符号の説明】
２  凹部
３  ストレート部
１１  側面
１２  隅部
Ｐ  ピッチ
Ｘ  列設方向
Ｙ  幅方向
【図１】
0003616021.tif 000002
【図２】
0003616021.tif 000003
【図３】
0003616021.tif 000004
【図４】
0003616021.tif 000005
【図５】
0003616021.tif 000006
【図６】
0003616021.tif 000007
【図７】
0003616021.tif 000008
【図８】
0003616021.tif 000009
【図９】
0003616021.tif 000010
【図１０】
0003616021.tif 000011
【図１１】
0003616021.tif 000012
【図１２】
0003616021.tif 000013
【図１３】
0003616021.tif 000014
【図１４】
0003616021.tif 000015